(57)【要約】【課題】本発明は、吊り糸を長くしても、扱い易く、容易に抽出することができ、しかも個包装のシール時に吊り糸がシール部に挟み込まれる危険性を回避することができる新たな抽出バッグを提供する。【解決手段】抽出バッグ１は、抽出物を収納したバッグ部２と、先端部に摘み片５を固着し、基端部３ａを前記バッグ部２の表面４に固着した吊り糸３とを備え、前記吊り糸３を螺旋状に纏めてバッグ部２の表面４上に配し、この吊り糸３を覆うように摘み片５をバッグ部２の表面４に剥離可能に固着してなる構成を備えたことを特徴とする。【選択図】図１
2013018508.tif 000002
【特許請求の範囲】
【請求項１】
抽出物を収納したバッグ部と、先端部に摘み片を固着し、基端部を前記バッグ部の表面に固着した吊り糸とを備えた抽出バッグであって、
前記吊り糸を螺旋状に纏めてバッグ部の表面上に配し、この吊り糸を覆うように摘み片をバッグ部の表面に剥離可能に固着してなる構成を備えた抽出バッグ。
【請求項２】
前記摘み片は、その固着部で前記吊り糸を挟むように、少なくとも２ケ所をバッグ部の表面に剥離可能に固着してなる請求項１に記載の抽出バッグ。
【請求項３】
前記吊り糸の基端部の固着位置は、バッグ部を多面体と仮定し、吊り糸の基端部を固着したバッグ部の表面を水平にした時に、前記多面体の幾何学的な重心点を通る垂直線と前記表面との交点から外れた位置とすることを特徴とする請求項１又は２に記載の抽出バッグ。
【請求項４】
前記吊り糸は、４ｍｍ〜８ｍｍの静荷重伸びを有する糸であることを特徴とする請求項１〜３のいずれかに記載の抽出バッグ。
【請求項５】
抽出物を収納したバッグ部と、先端部に摘み片を固着し、基端部を前記バッグ部の表面に固着した吊り糸とを備えた抽出バッグの製造方法であって、
前記吊り糸を螺旋状に纏めてバッグ部の表面上に配した後、この吊り糸を覆うように摘み片をバッグ部の表面に剥離可能に固着する抽出バッグの製造方法。
【請求項６】
前記摘み片は、その固着部で前記吊り糸を挟むように、少なくとも２ケ所をバッグ部の表面に剥離可能に固着する請求項５に記載の抽出バッグの製造方法。
【請求項７】
前記吊り糸の基端部の固着位置は、バッグ部を多面体と仮定し、吊り糸の基端部を固着したバッグ部の表面を水平にした時に、前記多面体の幾何学的な重心点を通る垂直線と前記表面との交点から外れた位置とすることを特徴とする請求項５又は６に記載の抽出バッグの製造方法。
【請求項８】
前記吊り糸は、４ｍｍ〜８ｍｍの静荷重伸びを有する糸であることを特徴とする請求項５〜７のいずれかに記載の抽出バッグの製造方法。
【発明の詳細な説明】
【技術分野】
【０００１】
本発明は、紅茶葉、緑茶葉、コーヒー豆、削り節などを収容し、これらを抽出することができる抽出バッグに関する。
【背景技術】
【０００２】
紅茶のティーバッグは、お湯に漬けるだけで簡単に紅茶を抽出することができるものである。このようなティーバッグは、廃棄なども容易に行うことができるといった簡便さから広く普及しており、最近では、紅茶以外にも緑茶やコーヒーなど嗜好飲料を中心とした抽出バッグが広く普及している。
【０００３】
従来のティーバッグは、ティ−カップ又は湯飲みなどで抽出するためにつくられた紙フィルタ−を用いた製品が一般的であったが、近年ではティ−ポットや急須で入れる本格的なリ−フティ−の味わいが手軽に楽しめる、抽出性に優れたメッシュ又は不織布のティ−バッグも販売されている。
【０００４】
従来のティーバッグに関しては、特許文献１の図６などにおいて、タグに切り欠き部を形成し、この切り欠き部に吊り糸の中間部分を巻き回わした包装体が示されている。
特許文献２の図９などには、吊り糸をバッグの外周に巻き回した抽出用バッグが示されている。
特許文献３の図２などには、摘み糸を透水性袋体に熱融着した抽出用包装体が示されている。
【０００５】
特許文献４の図１などには、袋体の片面の対角線交点付近に吊り糸の一端を接着した扁平ティーバッグが示されている。
特許文献５の図２及び図６などには、タグ糸の端部をバッグの一面の中心或いはバッグの端縁に取り付けた嗜好性飲料抽出用テトラパックが示されている。
特許文献６の図１などには、茶葉の入ったバッグを吊る吊り糸の長さを２０ｃｍにしたティーバッグが示されている。
【先行技術文献】
【特許文献】
【０００６】
【特許文献１】特開２００２−２１１６４１号公報
【特許文献２】特開２０１０−１２０６６７号公報
【特許文献３】特開２００２−３３７９３６号公報
【特許文献４】特開２００６−２１８１９号公報
【特許文献５】特開２００７−２４６１２８号公報
【特許文献６】実用新案登録第３０８１３３９号公報
【発明の概要】
【発明が解決しようとする課題】
【０００７】
上記特許文献１などに示されるように、吊り糸をタグに巻き回したり、或いは、上記特許文献２及び３に示されるように、吊り糸を抽出バッグ外周に溶着させたりした場合、吊り糸を解く際に、タグを回しながら吊り糸を解いたり、或いは抽出バッグを手で掴ながら吊り糸を解いたりしなければならず、抽出作業を始めるまでに手間がかかるばかりか、吊り糸を解く際に抽出バッグを手で掴むことになるため、抽出バッグ表面に付着した原料微粉などで手を汚したり、抽出バッグから漏れ出した原料微粉などが散乱したりするなど操作性が悪いものであった。
【０００８】
また、従来のティ−バッグは、吊り糸の長さが１０ｃｍ程の短い製品が多いため、家庭や職場などで一般的に利用されているマグカップなどで抽出すると、湯を注いだ時に、摘み片がカップ内に落ち込みやすく、使い勝手が悪いものであった。
そこで、上記特許文献６などに示されるように、抽出バッグの吊り糸を長くすることが一案として考えられる。しかし、吊り糸を長くすると、解くのに時間がかかり上記した操作性などがより悪くなり、さらには、個包装する際に吊り糸がシ−ル部に噛み込む恐れがあるなど、単に吊り糸を長くすれば使い勝手がよくなるものではなかった。
【０００９】
さらには、吊り糸が長くなると抽出と濾過の安定性が求められ、前記特許文献４の図１及び特許文献５の図２などに示されるように、吊り糸の取付位置が抽出バッグの一面の中心付近であると、お湯の中でティ−バッグを上下に振って抽出する時の抵抗が大きくなり、抽出しにくいものであった。また、図８に示すような抽出バッグ７は、バック部８内の抽出物９が下端頂点に集中してしまうため、抽出物９が開きにくく抽出性が悪くなり、さらには、抽出液からティ−バッグを引き上げた際に、抽出液が下端頂点に集まりやすいため液切れが悪く、液垂れも持続するという課題を抱えていた。
【００１０】
本発明の目的は、吊り糸を長くしても、扱い易く、容易に抽出することができ、しかも個包装のシール時に吊り糸がシール部に挟み込まれる危険性を回避することができる新たな抽出バッグを提供することにあり、さらには、抽出後の液切れの改善及び液垂れを抑制することができる抽出バッグを提供することにある。
【課題を解決するための手段】
【００１１】
本発明の抽出バッグは、抽出物を収納したバッグ部と、先端部に摘み片を固着し、基端部を前記バッグ部の表面に固着した吊り糸とを備えた抽出バッグであって、前記吊り糸を螺旋状に纏めてバッグ部の表面上に配し、この吊り糸を覆うように摘み片をバッグ部の表面に剥離可能に固着してなる構成を備えた抽出バッグを提案する。
【００１２】
本発明が提案する抽出バッグは、吊り糸が摘み片で覆われているため、たとえ吊り糸が長くても、摘み片を、バッグ部から剥離させて持ち上げるだけで、吊り糸を伸ばすことができ、直ぐに抽出作業を開始することができ、また、吊り糸を解く際に抽出バッグを手で掴む必要がないため、抽出バッグ表面に付着した原料微粉などで手を汚したり、抽出バッグから漏れ出した原料微粉などが散乱したりすることもなく、操作性が良好である。さらには、吊り糸が摘み片で覆われているため、個包装のシール時に吊り糸がシール部に挟み込まれる危険性を回避することができる。
【図面の簡単な説明】
【００１３】
【図１】本発明の一実施形態の抽出バッグの一例を示した斜視図である。
【図２】図１の抽出バッグの摘み片部分の一例を拡大した平面図である。
【図３】本発明の他の実施形態の抽出バッグの例示した斜視図である。
【図４】図１の抽出バッグの吊り糸を伸ばした状態を示した斜視図である。
【図５】図１の抽出バッグにおいて、吊り下げた状態を示した側面図である。
【図６】（Ａ）は図１の抽出バッグのバッグ部を、重心点を通る垂直線で切断した場合の断面図であり、（Ｂ）は図１の抽出バッグのバッグ部の平面図である。
【図７】図１の抽出バッグの摘み片部分の一例の拡大断面図である。
【図８】従来の抽出バッグの一例を示した側面図である。
【発明を実施するための形態】
【００１４】
以下、本発明の抽出バッグの一実施形態について説明する。但し、本発明は、この実施形態に限定されるものではない。
【００１５】
（本抽出バッグ１）
本発明の一実施形態の抽出バッグ１（以下「本抽出バッグ１」と称する）は、図１及び図２に示すように、抽出物を収納したバッグ部２と、先端部に摘み片５を固着した吊り糸３とを備えた抽出バッグである。
【００１６】
（バッグ部２）
バッグ部２の材質は、透水性を備えていれば任意である。例えばポリエステル、ナイロン、ポリエチレン、ポリプロピレン等の合成繊維または不織布、多孔質フィルムなどから成るシートを用いることができる。中でも、摘み片を熱溶着又は超音波溶着などに融着によって固着できるシートが好ましい。
バッグ部２を形成するシートの厚みは、好ましくは０．０１ｍｍ〜０．１６ｍｍ、より好ましくは０．０２ｍｍ〜０．１２ｍｍ、特に好ましくは０．０６ｍｍ〜０．１０ｍｍである。
【００１７】
バッグ部２の形状は、袋状であれば任意である。例えば、バッグ部２は、三角錐状、六面体状などの多角形状、円柱状の他、平面視正方形状や平面視長方形状などの平面視矩形状、平面視三角形状などの扁平状に形成することができる。なかでも、図１に示すような逆三角錐状（テトラ状）や図３に示すような平面視長方形状に形成するのが好ましい。
三角錐状に形成する場合は、一辺が４５ｍｍ〜８０ｍｍ、特に５０ｍｍ〜６０ｍｍの三角錐状に形成するのが好ましい。また、平面視長方形扁平状に形成する場合は、縦７０ｍｍ〜９０ｍｍ、横５０ｍｍ〜６５ｍｍに形成するのが好ましい。
【００１８】
バッグ部２の内部に収容する抽出物としては、例えば緑茶葉、紅茶葉、烏龍茶葉、ハ−ブ、野草、混合茶、麦茶、ハト麦茶、コーヒー豆、削り節などを挙げることができる。
抽出物の量は特に限定するものではない。好ましくは１．０ｇ〜１０．０ｇ、より好ましくは１．５ｇ〜９．０ｇ、特に好ましくは２．０ｇ〜８．０ｇ収容する。
【００１９】
（吊り糸３）
吊り糸３は、材質を特に限定するものではない。例えばポリエステル、ナイロン、ポリエチレン、ポリプロピレン等の熱溶着又は超音波溶着が可能な合成繊維からなる糸を用いることができる。中でも、巻いても折り跡が付きにくく、元の直線状態に戻り易い糸を使用するが好ましく、直線回復性を測定することで確認できる。
【００２０】
吊り糸３の静荷重伸びは、４ｍｍ〜８ｍｍであるのが好ましく、５ｍｍ〜７ｍｍであるのがより好ましい。
静荷重伸びは、吊り糸の材質、太さ、撚り本数などで調整することができ、上記範囲にするには、３〜８本、好ましくは４〜６本で撚り、太さ０．４ｍｍ〜１．２ｍｍ、特に０．５ｍｍ〜１．０ｍｍにするのが好ましい。
なお、吊り糸の静荷重伸びは、マレンス疲労試験機に装着して測定することができる。具体的には、長さ２５０ｍｍの吊り糸を９０℃の湯に１分間漬けた後、その中央部に長さ１００ｍｍの表示線を引く。この吊り糸をクランプ間隔１５０ｍｍにしてマレンス疲労試験機に装着し、５００ｇの荷重を加えたまま１０分間放置後の表示線の長さを測定し、この値から元の長さ１００ｍｍを差し引くことにより算定できる。
【００２１】
吊り糸３の長さは、マグカップなどでも使い易いように、１６０ｍｍ〜２６０ｍｍにするのが好ましく、１７０ｍｍ〜２００ｍｍにするのがより好ましい。
【００２２】
（摘み片５）
吊り糸３の先端部には、図４に示すように、摘み片５を固着してある。
摘み片５は、指で摘んで抽出バッグ１を持ち上げるための部材であり、指先で摘み易い形状であるのが好ましい。例えば平面視した際に、円形状、ハート形、クローバ形、長円状、正方形状又は長方形状などの形状を呈するシート状又は平板状に形成することができる。
【００２３】
摘み片５の材質は任意である。例えば、紙の片面にポリエチレンなどの樹脂をラミネートした熱溶着又は超音波溶着が可能なラミネート紙片を用いるのが好ましい。
摘み片５の厚みは、好ましくは０．０９ｍｍ〜０．３６ｍｍ、より好ましくは０．１４ｍｍ〜０．２８ｍｍ、特に好ましくは０．１８ｍｍ〜０．２１ｍｍである。
【００２４】
（吊り糸３の基端部をバッグ部２に固着する位置と方法）
吊り糸３の基端部はバッグ部２の表面に固着してある。
【００２５】
吊り糸３の基端部の固着位置は、図６（Ａ）に示すように、バッグ部２の形状を多面体と仮定し、すなわち、バッグ部２の表面が丸みを呈していても、平面のみから構成される多面体とみなして仮定し、吊り糸３の基端部を固着したバッグ部２の表面４を水平にした時に、前記多面体の幾何学的な重心点Ｗを通る垂直線と前記表面４との交点Ｏから外れた位置とするのが好ましい。
なお、バッグ部２の重心点Ｗは、抽出物を収納してない状態でバッグ部２を拡げた際の形状を多面体とみなし、この多面体の幾何学的な重心点である。
【００２６】
吊り糸３の基端部の固着位置は、面積割合が５％〜９５％の位置が好ましく、１０％〜９０％の位置がより好ましく、１５％〜８５％の位置が特に好ましい。
ここでの「面積割合」とは、バッグ部の吊り糸の基端部を固着した表面の全面積と、基端部の固着位置を通る前記表面に相似する形状の面積とを算出し、全面積に対する相似形状の面積の百分率で表すことができる。例えば、図６（Ｂ）に示すように、逆三角錐状のバッグ部において、バッグ部の表面の全面積をＳとし、吊り糸の基端部を固着する位置（Ｘ点）を通る三角形の面積をＳｘとした場合、以下の式１で算出することができる。
（Ｓｘ／Ｓ）×１００…式１
つまり、吊り糸の基端部を固着する表面を水平にした場合、バッグ部の重心点を通る垂直線と表面との交点位置Ｏに固着した場合は面積割合０％となり、表面の外縁部に固着した場合は面積割合１００％になる。
【００２７】
従来の抽出バッグは、吊り糸の取付位置が一面の中心付近であり、抽出時に該一面が水平状になるため、お湯の中でティ−バッグを上下に振って抽出する時の抵抗が大きくなり、抽出しにくいものであった。
また、従来の抽出バッグは、バック部内の抽出物が下端頂点に集中してしまい、抽出物が開きにくく抽出性が悪くなり、さらには、抽出液からティ−バッグを引き上げた際に、抽出液が下端頂点に集まりやすいため液切れが悪く、液垂れも持続するものであった。
これに対し、本抽出バッグ１のように重心点Ｗを通る垂直線と前記表面４との交点Ｏから外れた位置に吊り糸３の基端部を固着することで、図５に示すように、吊り下げ時にバッグ部２が斜めになるため、湯の中でバッグ部２を上下に振って抽出する際の抵抗が少なくなり、引き上げやすくなる。また、特にバッグ部２を逆三角錐状にした場合は、吊り下げ時にバック部２が斜めになるため、抽出物が内部で広がりやすく適度に分散するため、湯の中で茶葉が充分に開くことができ、抽出性がよくなる。さらには、従来では下端頂点に抽出液が集まりやすく液切れが悪く、液垂れが続くものであったが、抽出液が徐々に下端頂点に集まるため、従来と比べて液切れがよく、液垂れがしにくくなる。
【００２８】
（吊り糸３の配置）
吊り糸３は、例えば図２に示すように、螺旋状に纏めてバッグ部２の表面４上に配するのが好ましい。このように吊り糸３を螺旋状に纏めて配すれば、摘み片５を持ち上げた際に、絡み合うことなく、吊り糸３を伸ばすことができる。
ただし、ここでの「螺旋状」には、例えば図２に示すように、円形乃至長円形が旋回方向と直交する方向にズレながら連続する螺旋状のほか、旋回方向の同心円方向にズレながら連続する渦巻状なども包含する意味である。
また、吊り糸３同士ができるだけ重ならないように纏めるのが好ましい。例えば、図２に示すように、長円形を横にずらせて纏めるのが好ましい。
さらにまた、基端部３ａをバッグ部２の表面に固着した部分を覆うように、吊り糸３を纏めてもよいが、吊り糸を直線状態に戻り易くする観点から、図２に示すように、基端部３ａをバッグ部２の表面に固着した部分から離れた位置で吊り糸３を纏めるのが好ましい。
【００２９】
（摘み片５の配置）
摘み片５は、上述のように纏めた吊り糸３を覆うように、バッグ部２の表面４に剥離可能に固着することが重要である。
このようにすることにより、摘み片５を持ち上げれば、吊り糸３が伸び、バッグ部２を吊り下げることができ、従来のように、吊り糸を解いたりする手間がかからず操作性がよくなる。
【００３０】
ただし、摘み片５により、吊り糸３の全部が覆われる必要はなく、吊り糸３の一部は露出していてもよい。このように吊り糸３が摘み片５により覆われていれば、個包装のシール時に吊り糸がシール部に挟み込まれる危険性を減少させることができる。
【００３１】
摘み片５をバッグ部２の表面４に固着する手段は任意であるが、熱溶着又は超音波溶着などを採用するのが好ましい。
また、摘み片５をバッグ部２の表面４に固着する少なくとも２つの固着部６，６で前記吊り糸３を挟むようにするのが好ましい。このようにすれば、吊り糸３が自然に解けてしまうことを防ぐことができる。
【００３２】
摘み片５は、吊り糸３を覆いながらバッグ部２の表面４に剥離可能に固着した状態において、図７に示すように、摘み片５の膨らみｔが、表面４から３ｍｍ以内の膨らみにするのが好ましく、２ｍｍ以内の膨らみにするのがより好ましい。これにより、個包装した場合の厚みを抑えることができる。例えば、上記したように、吊り糸３同士ができるだけ重ならないように、円形乃至長円形を横にずらせながら纏めることにより上記膨らみにすることができる。
【００３３】
（本抽出バッグ１製造方法）
本抽出バッグ１は、吊り糸３を螺旋状に纏めてバッグ部２の表面４上に配した後、この吊り糸３を覆うように摘み片５をバッグ部２の表面４に剥離可能に固着して製造することができる。
例えば、長尺帯状の通水性濾過シート上に、摘み片付き吊り糸を螺旋状に纏めて配し、その上に摘み片を被せながら剥離可能にシートに固着し、このシートを用いて従来からある自動ティーバッグ包装機で製造することができる。
【００３４】
（本抽出バッグ１による効果）
本抽出バッグ１は、吊り糸３を長くしても、吊り糸３を伸ばし易く、抽出時の操作性及び抽出性が良好であり、抽出後の液切れの改善及び液垂れの抑制を図ることができるものである。また、個包装のシール時にシール部に吊り糸が挟み込まれる危険性を減少させることができる。
【００３５】
（用語の説明）
本発明において、「Ｘ〜Ｙ」（Ｘ，Ｙは任意の数字）と記載した場合、特にことわらない限り「Ｘ以上Ｙ以下」を意図し、「Ｘより大きくＹよりも小さいことが好ましい」旨の意図も包含する。
【００３６】
（試験１）
吊り糸の抽出バッグに対する固着位置を変え、液切れ、液垂れにどのような影響を及ぼすか試験を行った。
吊り糸としては、ポリプロピレンからなる、撚り本数６本の太さ０．５ｍｍのものを用いた。
バッグ部としては、ナイロンからなる、一辺約５０ｍｍの三角錐状のものと、ナイロンからなる縦７０ｍｍ×横５０ｍｍの扁平のものとを用いた。また、バッグ部内には、緑茶葉１．８ｇを収容した。
吊り糸の基端部の固着位置は、上記した面積割合で表した。
【００３７】
三角錐状の抽出バッグは、０％、１５％、５０％、９８％の位置に吊り糸を固着し、扁平状の抽出バッグは、９０％の位置に吊り糸を固着した。
これらをお湯に浸した直後、上下に５回振り、持ち上げることを行い、「抽出液の切れ」、「抽出後の液垂れ」、「撹拌し易さ」、「溶出性」を確認した。
【００３８】
「抽出液の切れ」は、お湯から抽出バッグを取り出した際、何秒後に液が切れるかを測定した。６秒以上の場合を「×」、４秒以上６秒未満の場合を「△」、２秒以上４秒未満の場合を「○」、１秒以上２秒未満の場合を「◎」として判断した。
【００３９】
「抽出後の液垂れ」は、お湯から抽出バッグを取り出した際、液切れ後に次の水滴が垂れるまでの時間を測定した。７秒以上の場合を「◎」、５秒以上７秒未満の場合を「○」、３秒以上５秒未満の場合を「△」、１秒以上３秒未満の場合を「×」として判断した。
【００４０】
「撹拌し易さ」は抽出バッグをお湯の中に浸透させ、上下に５回振った際の抽出液の混ざり具合を目視で確認した。混ざらない場合を「×」、やや混ざる場合を「△」、混ざる場合を「○」、よく混ざる場合を「◎」として判断した。
【００４１】
「溶出性」は、上下に５回振った後の香味の溶出度合いを熟練した試験官が試飲して確認した。薄い場合を「×」、やや薄い場合を「△」、やや濃い場合を「○」、濃い場合を「◎」として判断した。
この結果を下記表１に示す。
【００４２】
【表１】
2013018508.tif 000003
【００４３】
総合評価は、各評価において「◎」を３点、「○」を２点、「△」を１点、「×」を０点として４つの項目の点数を合算し、合計点が９点以上を「◎」、６−８点を「○」、３−７点を「△」、２点以下を「×」として評価した。
この結果、抽出バッグ表面の中心や端縁付近に吊り糸を固着すると、抽出液の切れや液垂れが悪くなることが確認された。
【００４４】
（試験２）
下記表２に示す吊り糸を用いて、上記試験１で使用した表１の固着位置５０％、吊り糸の長さ２００ｍｍの三角錐の抽出バッグを同様のものを作製し、静荷重伸びが撹拌のし易さや溶出性にどのような影響を及ぼすか試験を行った。
吊り糸の静荷重伸びは、マレンス疲労試験機に装着して測定した。具体的には、長さ２５０ｍｍの吊り糸を９０℃の湯に１分間漬けた後、その中央部に長さ１００ｍｍの表示線を引く。この吊り糸をクランプ間隔１５０ｍｍにしてマレンス疲労試験機に装着し、５００ｇの荷重を加えたまま１０分間放置する。その後の表示線間の長さを測定し、この値から元の長さ１００ｍｍとの差を求めることにより算定した。
【００４５】
各抽出バッグを９０℃の湯に１分間漬けた後、上下に７回振り、「撹拌し易さ」、「溶出性」を確認した。
「撹拌し易さ」は抽出バッグをお湯の中に浸透させ、上下に７回振った際の抽出液の混ざり具合を目視で確認した。混ざらない場合を「×」、やや混ざる場合を「△」、混ざる場合を「○」、よく混ざる場合を「◎」として判断した。
「溶出性」は、上下に７回振った後の香味の溶出度合いを熟練した試験官が試飲して確認した。薄い場合を「×」、やや薄い場合を「△」、やや濃い場合を「○」、濃い場合を「◎」として判断した。
この結果を下記表２に示す。
【００４６】
【表２】
2013018508.tif 000004
【００４７】
この結果、静荷重伸びが４ｍｍ〜８ｍｍである吊り糸が「撹拌し易さ」、「溶出性」がともに良好であった。
【符号の説明】
【００４８】
１抽出バッグ  ２バッグ部  ３吊り糸  ３ａ基端部  ４表面  ５摘み片  ６固着部
【図１】
2013018508.tif 000005
【図２】
2013018508.tif 000006
【図３】
2013018508.tif 000007
【図４】
2013018508.tif 000008
【図５】
2013018508.tif 000009
【図６】
2013018508.tif 000010
【図７】
2013018508.tif 000011
【図８】
2013018508.tif 000012
【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
抽出物を収納したバッグ部と、先端部に摘み片を固着し、基端部を前記バッグ部の表面に固着した吊り糸とを備えた抽出バッグであって、
前記吊り糸の基端部を、基端部を固着した前記表面の全面積Ｓと基端部の固着位置を通る前記表面と相似する形状の面積Ｓｘとの面積割合（Ｓｘ／Ｓ×１００）が５％〜９５％の位置に固着し、前記吊り糸を螺旋状に纏めてバッグ部の表面上に配し、この吊り糸を覆うように摘み片をバッグ部の表面に剥離可能に固着してなる構成を備えた抽出バッグ。
【請求項２】
前記摘み片は、その固着部で前記吊り糸を挟むように、少なくとも２ケ所をバッグ部の表面に剥離可能に固着してなる請求項１に記載の抽出バッグ。
【請求項３】
前記吊り糸は、４ｍｍ〜８ｍｍの静荷重伸びを有する糸であることを特徴とする請求項１又は２に記載の抽出バッグ。
【請求項４】
抽出物を収納したバッグ部と、先端部に摘み片を固着し、基端部を前記バッグ部の表面に固着した吊り糸とを備えた抽出バッグの製造方法であって、
前記吊り糸の基端部を、基端部を固着する前記表面の全面積Ｓと基端部の固着位置を通る前記表面と相似する形状の面積Ｓｘとの面積割合（Ｓｘ／Ｓ×１００）が５％〜９５％の位置に固着し、前記吊り糸を螺旋状に纏めてバッグ部の表面上に配した後、この吊り糸を覆うように摘み片をバッグ部の表面に剥離可能に固着する抽出バッグの製造方法。
【請求項５】
前記摘み片は、その固着部で前記吊り糸を挟むように、少なくとも２ケ所をバッグ部の表面に剥離可能に固着する請求項４に記載の抽出バッグの製造方法。
【請求項６】
前記吊り糸は、４ｍｍ〜８ｍｍの静荷重伸びを有する糸であることを特徴とする請求項４又は５に記載の抽出バッグの製造方法。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
抽出物を収納した、多角形状又は扁平状のバッグ部と、先端部に摘み片を固着し、基端部を前記バッグ部の表面に固着した吊り糸とを備えた抽出バッグであって、
前記吊り糸の基端部を、基端部を固着した前記表面の全面積Ｓと基端部の固着位置を通る前記表面と相似する形状の面積Ｓｘとの面積割合（Ｓｘ／Ｓ×１００）が５％〜９５％の位置に固着し、前記吊り糸を螺旋状に纏めてバッグ部の前記表面上に配し、この吊り糸を覆うように摘み片をバッグ部の前記表面中央付近に剥離可能に固着してなる構成を備えた抽出バッグ。
【請求項２】
前記摘み片は、その固着部で前記吊り糸を挟むように、少なくとも２ケ所をバッグ部の表面に剥離可能に固着してなる請求項１に記載の抽出バッグ。
【請求項３】
前記吊り糸は、４ｍｍ〜８ｍｍの静荷重伸びを有する糸であることを特徴とする請求項１又は２に記載の抽出バッグ。
【請求項４】
抽出物を収納した、多角形状又は扁平状のバッグ部と、先端部に摘み片を固着し、基端部を前記バッグ部の表面に固着した吊り糸とを備えた抽出バッグの製造方法であって、
前記吊り糸の基端部を、基端部を固着する前記表面の全面積Ｓと基端部の固着位置を通る前記表面と相似する形状の面積Ｓｘとの面積割合（Ｓｘ／Ｓ×１００）が５％〜９５％の位置に固着し、前記吊り糸を螺旋状に纏めてバッグ部の前記表面上に配した後、この吊り糸を覆うように摘み片をバッグ部の前記表面中央付近に剥離可能に固着する抽出バッグの製造方法。
【請求項５】
前記摘み片は、その固着部で前記吊り糸を挟むように、少なくとも２ケ所をバッグ部の表面に剥離可能に固着する請求項４に記載の抽出バッグの製造方法。
【請求項６】
前記吊り糸は、４ｍｍ〜８ｍｍの静荷重伸びを有する糸であることを特徴とする請求項４又は５に記載の抽出バッグの製造方法。
【手続補正書】
【提出日】平成24年3月21日(2012.3.21)
【手続補正１】
【補正対象書類名】特許請求の範囲
【補正対象項目名】請求項１
【補正方法】変更
【補正の内容】
【請求項１】
抽出物を収納した、多面体状又は扁平状のバッグ部と、先端部に摘み片を固着し、基端部を前記バッグ部の表面に固着した吊り糸とを備えた抽出バッグであって、
前記吊り糸の基端部を、基端部を固着した前記表面の全面積Ｓと基端部の固着位置を通る前記表面と相似する形状の面積Ｓｘとの面積割合（Ｓｘ／Ｓ×１００）が５％〜９５％の位置に固着し、前記吊り糸を螺旋状に纏めてバッグ部の前記表面上に配し、この吊り糸を覆うように摘み片をバッグ部の前記表面中央付近に剥離可能に固着してなる構成を備えた抽出バッグ。
【手続補正２】
【補正対象書類名】特許請求の範囲
【補正対象項目名】請求項４
【補正方法】変更
【補正の内容】
【請求項４】
抽出物を収納した、多面体状又は扁平状のバッグ部と、先端部に摘み片を固着し、基端部を前記バッグ部の表面に固着した吊り糸とを備えた抽出バッグの製造方法であって、
前記吊り糸の基端部を、基端部を固着する前記表面の全面積Ｓと基端部の固着位置を通る前記表面と相似する形状の面積Ｓｘとの面積割合（Ｓｘ／Ｓ×１００）が５％〜９５％の位置に固着し、前記吊り糸を螺旋状に纏めてバッグ部の前記表面上に配した後、この吊り糸を覆うように摘み片をバッグ部の前記表面中央付近に剥離可能に固着する抽出バッグの製造方法。
【手続補正３】
【補正対象書類名】明細書
【補正対象項目名】００１７
【補正方法】変更
【補正の内容】
【００１７】
バッグ部２の形状は、袋状であれば任意である。例えば、バッグ部２は、三角錐状、六面体状などの多面体状、円柱状の他、平面視正方形状や平面視長方形状などの平面視矩形状、平面視三角形状などの扁平状に形成することができる。なかでも、図１に示すような逆三角錐状（テトラ状）や図３に示すような平面視長方形状に形成するのが好ましい。
三角錐状に形成する場合は、一辺が４５ｍｍ〜８０ｍｍ、特に５０ｍｍ〜６０ｍｍの三角錐状に形成するのが好ましい。また、平面視長方形扁平状に形成する場合は、縦７０ｍｍ〜９０ｍｍ、横５０ｍｍ〜６５ｍｍに形成するのが好ましい。